(57)【特許請求の範囲】
【請求項１】
名称が特定されることにより，その特定された名称によって管理されているデータをアクセスできる記録媒体に記録されているデータを読取り，再生する再生装置において，
上記記録媒体を装着する記録媒体装着手段，
あらかじめ定められた上記名称によって管理されるデータであって，キャラクタが合成された合成画像を表わす合成画像データおよび上記合成画像の印刷に関する印刷データが，上記記録媒体装着手段に装着された装着記録媒体に記録されているかどうかを判定する判定手段，
上記判定手段により上記合成画像データが上記装着記録媒体に記録されていると判定したことに応じて，上記装着記録媒体に記録されている上記合成画像データと上記印刷データとのペア数を表示する表示装置，ならびに
上記表示装置に表示されたペア数が確認されたことに応じて，上記装着記録媒体に記録されている上記合成画像データを読取り，印刷データにもとづいて出力する合成画像データ出力手段，
を備えた画像データ再生装置。
【請求項２】
上記判定手段が，上記合成画像データに加えて上記合成画像データによって表わされる合成画像の印刷に関する印刷データが，上記あらかじめ定められた名称によって管理されるデータとして上記装着記録媒体に記録されているかどうかを判定するものであり，
上記合成画像データ出力手段が，上記合成画像データおよび上記印刷データが上記装着記録媒体に記録されていると上記判定手段により判定されたことに応じて，上記装着記録媒体に記録されている上記合成画像データおよび上記印刷データをそれぞれ読取り，上記合成画像データを，上記印刷データによって定められる印刷条件に適したデータに変換して上記合成画像データを出力するものである，
請求項１に記載の画像データ再生装置。
【請求項３】
上記合成画像データが所定のフォーマットで上記記録媒体に記録されていないかどうかを判定するフォーマット判定手段，および
上記フォーマット判定手段により，上記合成画像データが所定のフォーマットで記録されていないと判定されたことにより，上記合成画像データを上記所定のフォーマットに変換するフォーマット変換手段，
を備えた請求項１に記載の画像データ再生装置。
【請求項４】
名称が特定されることにより，その特定された名称によって管理されているデータをアクセスできる記録媒体に記録されているデータを読取り，再生する画像データ再生方法において，
判定手段が，あらかじめ定められた上記名称によって管理されるデータであって，キャラクタが合成された合成画像を表わす合成画像データおよび上記合成画像の印刷に関する印刷データが，装着された装着記録媒体に記録されているかどうかを判定し，
上記合成画像データが上記装着記録媒体に記録されていると上記判定手段が判定したことに応じて，表示装置が，上記装着記録媒体に記録されている上記合成画像データと上記印刷データとのペア数を表示し，
上記表示装置に表示されたペア数が確認されたことに応じて，合成画像データ出力手段が，上記装着記録媒体に記録されている上記合成画像データを読取り，印刷データにもとづいて出力する，
画像データ再生方法。
【請求項５】
上記判定手段が，上記合成画像データに加えて上記合成画像データによって表わされる合成画像の印刷に関する印刷データが，上記あらかじめ定められた名称によって管理されるデータとして上記装着記録媒体に記録されているかどうかを判定するものであり，
上記判定手段によって上記合成画像データおよび上記印刷データが上記装着記録媒体に記録されていると判定されたことに応じて，上記合成画像データ出力手段が，上記装着記録媒体に記録されている上記合成画像データおよび上記印刷データをそれぞれ読取り，上記合成画像データを，上記印刷データによって定められる印刷条件に適したデータに変換して上記合成画像データを出力する，
請求項４に記載の画像データ再生方法。
【請求項６】
フォーマット判定手段が，上記合成画像データが所定のフォーマットで上記記録媒体に記録されていないかどうかを判定し，
上記フォーマット判定手段によって上記合成画像データが所定のフォーマットで記録されていないと判定されたことにより，フォーマット変換手段が，上記合成画像データを上記所定のフォーマットに変換する，
請求項４に記載の画像データ再生方法。
【発明の詳細な説明】
【０００１】
【技術分野】
この発明は，名称が特定されることによりその特定された名称によって管理されているデータをアクセスできる記録媒体に，画像データをファイリングするファイリング・システムおよび方法ならびにそのような記録媒体に記録された画像データを読取り，出力する画像データ再生装置および方法ならびにそのようにコンピュータを制御するためのプログラムを格納したコンピュータが読取可能な記録媒体に関する。
【０００２】
【背景技術】
光ディスク，光磁気ディスクなど高密度記録媒体が開発されることにより，データ量の多い画像データを，高密度記録媒体に記録することが可能となってきた。高密度記録媒体への画像データの記録は，ユーザが自分のパーソナル・コンピュータを用いて行なうこともできるし，ラボラトリィなどに置かれている専用の画像データ記録装置を用いて行なうこともできる。また高密度記録媒体に記録された画像データによって表わされる画像に，パーソナル・コンピュータを用いて文字，絵などのキャラクタをユーザ自身が追加し，自分だけの画像を作成することもできる。
【０００３】
このようにして作成された画像を印刷する場合には，パーソナル・コンピュータに自分のプリンタを接続する。パーソナル・コンピュータによってプリンタを起動させ，プリンタを用いて画像を印刷する。しかしながら，一般的にユーザ用のプリンタは低価格であるため，印刷されるプリント画像の画質は悪く，印刷速度も遅い。高品質の画像印刷を実現するにはラボラトリィなどに置かれる専用の印刷装置を用いなければならない。
【０００４】
一方，ユーザは自分のパーソナル・コンピュータを用いて高密度記録媒体に記録する場合には所望のディレクトリ名を付けるのが一般的である。このためにラボラトリィなどに置かれる専用の印刷装置を用いて高密度記録媒体に記録された画像データによって表わされる画像を印刷するにはラボラトリィの店員がそのディレクトリ名を探す必要がある。したがって迅速な印刷ができない。またユーザは所望のフォーマットで画像データを高密度記録媒体に記録する。このためにラボラトリィなどに置かれる専用の印刷装置を用いて高密度記録媒体に記録された画像データによって表わされる画像を高品質で印刷するにはユーザ個人個人の記録フォーマットに対応しなければならない。
【０００５】
【発明の開示】
この発明は，ユーザが自分で加工した画像を，比較的迅速に，かつ高品質で印刷することを目的とする。
【０００６】
第１の発明は，名称（たとえばディレクトリ名）が特定されることにより，その特定された名称によって管理されているデータをアクセスできる記録媒体に，画像データをファイリングするファイリング・システムにおいて，被写体像を表わす被写体像データを入力する入力手段，上記入力手段により入力された被写体像データによって表わされる被写体像に所望のキャラクタを合成し，上記キャラクタが合成された被写体像を表わす合成画像データを出力するキャラクタ合成手段，および上記キャラクタ合成手段から出力される合成画像データを，あらかじめ定められた上記名称によって管理されるデータとして上記記録媒体に記録する記録制御手段を備えていることを特徴とする。
【０００７】
第１の発明は，ファイリング方法も提供している。すなわちこのファイリング方法は，名称が特定されることにより，その特定された名称によって管理されているデータをアクセスできる記録媒体に，画像データをファイリングするファイリング・システムにおいて，被写体像を表わす被写体像データを入力し，上記入力された被写体像データによって表わされる被写体像に所望のキャラクタを合成し，上記キャラクタが合成された被写体像を表わす合成画像データを得，得られた合成画像データを，あらかじめ定められた上記名称によって管理されるデータとして上記記録媒体に記録することを特徴とする。
【０００８】
第１の発明は，上記ファイリング方法を実現するための記録媒体も提供している。すなわち，この記録媒体は，名称が特定されることにより，その特定された名称によって管理されているデータをアクセスできる記録媒体に，画像データをファイリングするために，被写体像を表わす被写体像データを入力させ，上記入力した被写体像データによって表わされる被写体像に所望のキャラクタを合成し，上記キャラクタが合成された被写体像を表わす合成画像データを得，得られた合成画像データを，あらかじめ定められた上記名称によって管理されるデータとして上記記録媒体に記録するようにコンピュータを制御するためのプログラムを格納したコンピュータが読取可能な記録媒体である。
【０００９】
このようにして記録媒体に記録されたデータは次のようにして再生される。
【００１０】
再生装置は，名称が特定されることにより，その特定された名称によって管理されているデータをアクセスできる記録媒体に記録されているデータを読取り，再生する再生装置において，上記記録媒体を装着する記録媒体装着手段，あらかじめ定められた上記名称によって管理されるデータであって，キャラクタが合成された合成画像を表わす合成画像データが，上記記録媒体装着手段に装着された装着記録媒体に記録されているかどうかを判定する判定手段，上記判定手段により上記合成画像データが上記装着記録媒体に記録されていると判定したことに応じて，上記装着記録媒体に記録されている上記合成画像データを読取り，出力する合成画像データ出力手段を備えていることを特徴とする。
【００１１】
再生方法は，名称が特定されることにより，その特定された名称によって管理されているデータをアクセスできる記録媒体に記録されているデータを読取り，再生する再生装置において，あらかじめ定められた上記名称によって管理されるデータであって，キャラクタが合成された合成画像を表わす合成画像データが，装着された装着記録媒体に記録されているかどうかを判定し，上記合成画像データが上記装着記録媒体に記録されていると判定したことに応じて，上記装着記録媒体に記録されている上記合成画像データを読取り，出力することを特徴とする。
【００１２】
上記再生方法を実現するための記録媒体も提供している。すなわち，この記録媒体は，名称が特定されることにより，その特定された名称によって管理されているデータをアクセスできる記録媒体に記録されているデータを読取り，再生するために，あらかじめ定められた上記名称によって管理されるデータであって，キャラクタが合成された合成画像を表わす合成画像データが，装着された装着記録媒体に記録されているかどうかを判定させ，上記合成画像データが上記装着記録媒体に記録されていると判定したことに応じて，上記装着記録媒体に記録されている上記合成画像データを読取り，出力するようにコンピュータを制御するためのプログラムを格納した記録媒体である。
【００１３】
この発明によると，上記合成画像データは上記あらかじめ定められた名称によって管理されるデータとして上記記録媒体に記録される。上記合成画像データを管理する名称はあらかじめ定められているので，その名称を探し出すだけで上記合成画像データを見つけ出すことができる。したがって迅速な再生が可能となる。
【００１４】
合成画像データを，上記あらかじめ定められた名称によって管理されるデータとして上記記録媒体に記録する場合に，上記合成画像データに加えて上記合成画像データによって表わされる合成画像の印刷に関する印刷データを，上記あらかじめ定められた名称によって管理されるデータとして上記記録媒体に記録してもよい。
【００１５】
この場合には，上記合成画像データに加えて上記合成画像データによって表わされる合成画像の印刷に関する印刷データが，上記あらかじめ定められた名称によって管理されるデータとして上記装着記録媒体に記録されているかどうかを判定し，上記合成画像データおよび上記印刷データが上記装着記録媒体に記録されていると判定したことに応じて，上記装着記録媒体に記録されている上記合成画像データおよび上記印刷データをそれぞれ読取り，上記印刷データによって定められる印刷条件に適したデータに変換して上記合成画像データを出力する。
【００１６】
あらかじめ定められている名称を探すだけで上記合成画像データに加えて，上記印刷データを見つけることができる。見つけ出された印刷データを参照して合成画像データによって表わされる合成画像を迅速に印刷できる。
【００１７】
上記合成画像データが所定のフォーマットで上記記録媒体に記録されていないかどうかを判定し，上記合成画像データが所定のフォーマットで記録されていないと判定されたことにより，上記合成画像データを上記所定のフォーマットに変換してもよい。これにより，ユーザがどのようなフォーマットで画像データを記録した場合であっても所定のフォーマットに変換でき合成画像を印刷できる。
【００１８】
【実施例の説明】
この実施例においては，次の処理が行なわれる。
【００１９】
まずユーザは，所望の写真等を後述のラボラトリィ・システムが設置されている店舗に持参する。ラボラトリィにおいてユーザが持参した写真等を表わす画像をディジタル画像データに変換し，光磁気ディスク等の媒体に記録する。ディジタル画像データが記録された媒体をユーザが持って帰り，ユーザ自身のファイリング・システム（パーソナル・コンピュータなど）においてディジタル画像データによって表わされる画像にキャラクタ（文字，絵など）を追加する。この追加されたキャラクタおよび画像を表わすデータが記録された媒体を再びラボラトリィに持参する。ラボラトリィにおいてキャラクタが追加された画像が印刷される。
【００２０】
詳しくは以下の説明によって明らかになるであろう。
【００２１】
(1) ラボラトリィ・システム
▲１▼ラボラトリィ・システムの構成
図１はラボラトリィ・システムの電気的構成を示している。
【００２２】
このラボラトリィ・システムは種々の場所に設置される。たとえば，フイルム現像所（店），写真店，デパート，コンビニエンス・ストア，その他の店舗等である。このファイリング・システムは一般的には顧客（ユーザ）によって操作される。フイルム現像所等のオペレータが常駐している場所ではラボラトリィ・システムをすべてオペレータが操作してもよい。
【００２３】
このラボラトリィ・システムが取扱う入力媒体は，写真フイルム，印画紙にプリントされた写真，印刷物（ポスター，カレンダ等の写真）などの画像を可視的に表わすものである。これらを可視画像媒体という。またこのラボラトリィ・システムが取扱う出力媒体は光磁気ディスク，磁気ディスク，メモリ・カード等の画像を表わすディジタル・データを記録（または記憶）するものである。これらをディジタル媒体という。
【００２４】
ラボラトリィ・システムにおいてはユーザが持参した可視画像媒体に記録された画像をディジタル媒体に記録するディジタル媒体記録処理およびディジタル媒体に記録された画像データによって表わされる画像をプリントするプリント処理を行なう。
【００２５】
ラボラトリィ・システムは，ＭＰＵ30によって全体の動作が統括される。
【００２６】
ラボラトリィ・システムには，画像その他の情報を表示するための表示装置33，表示装置33のインタフェイス（ビデオ・インタフェイス）34，表示装置33の表示画面上に配置されユーザからの指令を受付けるタッチパネル32，タッチパネル・インタフェイス31，画像データを一旦記憶する画像メモリ35，ＳＣＳＩ（Small Computer System Interface ）36，プリンタ37，磁気ディスクを駆動するフロッピー・ディスク・ドライバ39，ハード・ディスクを駆動するハード・ディスク・ドライバ40，光磁気ディスクを駆動する光磁気ディスク・ドライバ46，メモリ・カード・リーダ47が含まれている。またラボラトリィ・システムには可視画像媒体に表わされた画像を読取るスキャナ（フラット・ベッド・スキャナを含む）42，スキャナ・インタフェイス43，画像データによって表わされる画像を拡大および縮小する拡大縮小回路44，およびデータを一時的に記憶するＲＡＭ45が含まれている。
【００２７】
ユーザは表示装置33の表示にしたがってディジタル媒体記録処理の操作を行なう。すなわち，表示装置33の表示画面上にはタッチパネル32が形成されている。このタッチパネル32はインターフェイス31を介してＭＰＵ30と接続されている。表示装置33の表示面上に，操作を誘導するガイダンス（イラスト，文などよりなる）と，タッチすべき一または複数の区画とが表示される。各区画内にはキーの機能（数値を含む）が表示される。これにより，機能キーおよび数値キーが実現される。オペレータまたはユーザが指でタッチした区画の位置を表わす入力信号がＭＰＵ30に与えられる。このタッチパネルを利用してオペレータは入力媒体の指定，出力媒体に記録すべきまたはプリントすべき駒の指定等を行う。
【００２８】
スキャナ42は，可視画像媒体に表わされている画像を読取り，その画像を表わす画像データを出力するものである。スキャナ42はスキャナ・インタフェイス43を介してＭＰＵ30と接続されている。写真フイルムのスキャナであれば光源，撮像光学系，ライン・センサ（または二次元撮像素子），フイルムまたはライン・センサの移送機構，信号処理回路，Ａ／Ｄ変換回路等を含むであろうし，フラット・ベッド・スキャナであればフラット・ベッドを備えている。このフラット・ベッド上に読取るべき反射原稿が置かれる。光源からの光が反射原稿に投射され，反射原稿からの反射光がライン・センサまたは二次元撮像素子に入力する．ライン・センサまたは撮像素子から出力される映像信号は所定の処理ののちディジタル画像データとして出力される。
【００２９】
ＲＡＭ45はデータを一時に記憶する。画像メモリ35はスキャナ42，各ディスク・ドライバ39，40もしくは46またはメモリ・カード・リーダ47から読出された画像データを記憶する。拡大縮小回路44は画像データによって表わされる画像を拡大および縮小する回路である。
【００３０】
ハード・ディスク・ドライバ40は，ハード・ディスクＨＤへのデータの書込み，ハード・ディスクに記録されているデータの読出しを行なうものである。
【００３１】
フロッピー・ディスク・ドライバ39，光磁気ディスク・ドライバ46，またはメモリ・カード・リーダ47はそれぞれ出力媒体としての磁気ディスクＦＤ，光磁気ディスクＭＯまたはメモリ・カードＭＣに画像データを含むデータの書込み，または磁気ディスクＦＤ，光磁気ディスクＭＯまたは，メモリ・カードＭＣからの読出し，データの書換え等を行なうものである。
【００３２】
プリンタ37は，与えられる画像データによって表わされる画像をプリントする。
【００３３】
▲２▼ディジタル媒体のファイル構造
図２および図３はラボラトリィ・システムにおいて画像データが記録されたディジタル媒体のファイル構造（データ構造）を示している。このファイル構造は論理的に示すものであり，物理的な構造を示しているものではない。図２および図３に示す各種データはひとかたまりの連続した状態になくとも，分散した状態にあってもよい。図２および図３に示すディジタル媒体では，図１に示すラボラトリィ・システムにおいて５駒の画像が記録されている状態が示されている。ディジタル媒体に画像データを記録するには，所望の可視画像媒体をスキャナ42にセットし，画像データへの変換を行なう。ディジタル媒体をフロッピー・ディスク・ドライバ39，光磁気ディスク・ドライバ46またはメモリ・カード・リーダ47にセットし，変換された画像データを記録する。
【００３４】
ディジタル媒体には，ディジタル媒体に記録されているすべてのデータを管理するディレクトリ管理領域，アプリケーション・ソフトウェアを記録するソフト記録領域，画像データを記録する画像記録領域，ＩＣＣプロファイルおよび未使用領域が含まれている。図２に示すディジタル媒体では画像記録領域に，「ＰＨＴ０００１．ＪＰＧ」〜「ＰＨＴ０００５．ＪＰＧ」のファイル名が付けられた５駒の画像データが記録されている。
【００３５】
ディレクトリ管理領域には，各データへのパス（パスは各データが格納されている記憶場所をコンピュータがアクセスするのに必要な情報である），その他のデータが記録されている。このディレクトリ管理領域の詳細が図３に示されている。
【００３６】
図３を参照して，ディレクトリ管理領域においてはルート・ディレクトリ「ＲＯＯＴ」に複数のサブ・ディレクトリがある。このサブ・ディレクトリのうちの１つのサブ・ディレクトリがサブ・ディレクトリ「ＤＦＳ」であり，このサブ・ディレクトリ「ＤＦＳ」にこの実施例によるラボラトリィ・システムに特有のデータが格納されている。
【００３７】
サブ・ディレクトリ「ＤＦＳ」には，ディレクトリ「ＡＬＢＭ０１Ｂ」，「ＳＯＦＴ」その他のディレクトリが含まれている。ディレクトリ「ＡＬＢＭ０１Ｂ」には各画像データへのパスが格納されている。この実施例においては，画像データがディジタル媒体に記録された日にちごとに各画像データへのパスが格納されている。このためにディレクトリ「ＡＬＢＭ０１Ｂ」にはさらにディレクトリ「１９９５１２０５．００１」が含まれており，このディレクトリ「１９９５１２０５．００１」に「ＰＨＴ０００１．ＪＰＧ」〜「ＰＨＴ０００５．ＪＰＧ」のファイル名をもつ画像データへのパスが格納されている。ディレクトリ「ＳＯＦＴ」にはソフト記録領域に記録されているアプリケーション・ソフトウェアへのパスが格納されている。
【００３８】
ディジタル媒体のディレクトリ管理領域に各データへのパスが格納されていることにより，ディジタル媒体に記録されている画像データを読出すことができる。たとえば「ＰＨＴ０００１．ＪＰＧ」のファイル名をもつ画像データをディジタル媒体から読出すときには，まずディレクトリ管理領域に記録されているデータを読出し，ＲＡＭ45に記憶する。つぎにルート・ディレクトリ「ＲＯＯＴ」からディレクトリ「ＤＦＳ」をたどる。さらにディレクトリ「ＤＦＳ」からディレクトリ「ＡＬＢＭ０１Ｂ」をたどる。さらにディレクトリ「ＡＬＢＭ０１Ｂ」からディレクトリ「１９９５１２０５．００１」をたどり，「ＰＨＴ０００１．ＪＰＧ」の画像データのパスを取得する。この「ＰＨＴ０００１．ＪＰＧ」の画像データのパスから画像データ記録領域に記録されている「ＰＨＴ０００１．ＪＰＧ」の画像データを読取ることができる。
【００３９】
(2) ファイリング・システム
▲１▼ファイリング・システムの構成
図４はファイリング・システムの電気的構成を示している。
【００４０】
このファイリング・システムは一般的にはユーザの自宅に設置されたパーソナル・コンピュータ・システムであり，ユーザによって操作される。このファイリング・システムを用いて，ディジタル媒体に記録された画像データによって表わされる画像にキャラクタ等を入力する。
【００４１】
ファイリング・システムはコンピュータ・システム50を含んでいる。コンピュータ・システム50はコンピュータ51，操作装置52，ディスク・ドライバ53，再生および表示制御回路54ならびに表示装置55を備えている。コンピュータ51はコンピュータ・システム50のみならずファイリング・システム全体の動作を制御するものである。コンピュータ51にはメモリ（半導体メモリ，フロッピー・ディスク，ハード・ディスク等），その他の周辺装置が含まれる。
【００４２】
操作装置52はこのファイリング・システムをユーザが使用するときに各種の指令，データ等を入力するものである。
【００４３】
ディスク・ドライバ53はハード・ディスク，光ディスクまたは光磁気ディスクにデータを書込むまたはこれらのディスクからデータを読出すものである。ディスクにはファイリング・システムを動作させるためのプログラムがあらかじめ記録されている。ディスク・ドライバ53はディスクからプログラムを読取りコンピュータ51に与える。ハード・ディスクと光ディスクとが用いられる場合には，これらの専用のディスク・ドライバが２台設けられることになる。
【００４４】
表示装置55は再生および表示制御回路54によって制御される。
【００４５】
ファイリング・システムにはさらに，フロッピー・ディスク装置56，光ディスク装置57および写真プリンタ58が設けられ，コンピュータ・システム51とＳＣＳＩ（Small Computer System Interface ）バスを介して接続されている。必要であればフイルム・スキャナ，フラット・ベッド・スキャナ，メモリ・カード・リーダなどが設けられるだろう。
【００４６】
フロッピー・ディスク装置56は，磁気ディスクＦＤに画像データ，その他のデータを書込むとともに，磁気ディスクＦＤから画像データ，その他のデータを読出すものである。用いられる磁気ディスクに通常の磁気ディスクと高密度の磁気ディスクがある場合には，これらの磁気ディスクの種類に合わせて２台の磁気ディクス装置が設けられる。
【００４７】
光ディスク装置57は入，出力媒体としての光ディスク（光磁気ディスクを含む）ＭＯに画像データを含むデータの書込み，または光ディスクＭＯからの読出し，データの書換え等を行うものである。
【００４８】
写真プリンタ58は与えられる画像データによって表わされる画像をプリントする。
【００４９】
▲２▼ディジタル媒体のファイル構造
ユーザは，図４に示すファイリング・システムを用いて，ラボラトリィ・システムにおいて記録された画像データによって表わされる画像にキャラクタを追加する（キャラクタが追加された合成画像を表わす画像データを以下注文画像データという。）。また，キャラクタが追加された画像の印刷に関する情報を記録する。注文画像データおよび印刷に関する情報が記録されたディジタル媒体のファイル構造が図５および図６に示されている。ここでは主として，ユーザによって追加された注文画像データおよび印刷に関する情報について説明する。
【００５０】
図５を参照して，ディジタル媒体には新たに注文関連データ記録領域が記録されている。
【００５１】
注文関連データ記録領域にはユーザによってキャラクタが追加された注文画像データおよび印刷に関する情報を表わすデータが記録されている。注文関連データ記録領域に記録されているデータのうち，「ＪＰＧ」の拡張子をもつデータがユーザによってキャラクタが追加された注文画像データであり，「ＯＤＳ」の拡張子をもつデータが印刷情報を表わすデータである。
【００５２】
図６はディジタル媒体のディレクトリ管理領域の詳細を示している。図６を参照してディレクトリ管理領域には，サブ・ディレクトリ「ＤＦＳ」に新たにディレクトリ「ＩＮＦＯ」が形成されている。このディレクトリ「ＩＮＦＯ」にさらにディレクトリ「ＯＤＲ」が形成されている。このディレクトリ「ＯＤＲ」に注文関連データ記録領域に記録されているデータへのパスが格納されている。このパスをディレクトリ管理領域から読出すことにより注文関連データ記録領域に記録されているデータをディジタル媒体から読出すことができる。たとえば「ＰＡＰＡ  ＰＳＴ．ＪＰＧ」のファイル名をもつ注文画像データおよび「ＰＡＰＡ  ＰＳＴ．ＯＤＳ」のファイル名をもつ印刷情報データをディジタル媒体から読出すときには，まず，ディレクトリ管理領域に記録されているデータを読出し，メモリに一旦記憶する。つぎにルート・ディレクトリ「ＲＯＯＴ」からディレクトリ「ＤＦＳ」をたどる。さらにディレクトリ「ＤＦＳ」からディレクトリ「ＩＮＦＯ」をたどる。さらにディレクトリ「ＩＮＦＯ」からディレクトリ「ＯＤＲ」をたどり，「ＰＡＰＡ  ＰＳＴ．ＪＰＧ」の注文画像データのパスおよび「ＰＡＰＡ  ＰＳＴ．ＯＤＲ」の印刷情報データのパスを取得する。この「ＰＡＰＡ  ＰＳＴ．ＪＰＧ」の注文画像データのパスおよび「ＰＡＰＡ  ＰＳＴ．ＯＤＲ」の印刷情報データのパスから注文関連データ記録領域に記録されている「ＰＡＰＡ  ＰＳＴ．ＪＰＧ」の注文画像データおよび「ＰＡＰＡ  ＰＳＴ．ＯＤＲ」の印刷情報データを読出すことができる。
【００５３】
これらの「ＰＡＰＡ  ＰＳＴ．ＪＰＧ」の注文画像データおよび「ＰＡＰＡ  ＰＳＴ．ＯＤＲ」の印刷情報データを，ディジタル媒体に記録する処理について次に説明する。
【００５４】
(3) ユーザの処理
図７は，ラボラトリィ・システムにおいて画像データが記録されたディジタル媒体に，ユーザがキャラクタを表わすキャラクタ画像データを追加する処理および印刷情報データを追加する処理手順を示すフローチャートである。これらの処理を実行するプログラムはディジタル媒体（磁気ディスクＦＤ，光磁気ディスクＭＯなど）のソフト記録領域に記録されており，ソフト記録領域からプログラムを読出すことにより各処理が実行される。
【００５５】
ユーザは，図４に示すファイリング・システムのフロッピー・ディスク装置56または光ディスク装置57にディジタル媒体を装着する（ステップ60）。ディジタル媒体が装着されていなければ，図８に示すようにディジタル媒体の装着を促す画面が表示装置55に表示される（ステップ74）。ユーザが了解と表示された区画をタッチすると再びステップ60の処理に戻る。ユーザが中止と表示された区画をタッチすると処理は終了する（ステップ75）。
【００５６】
ディジタル媒体がファイリング・システムに装着されると，ディジタル媒体のディレクトリ管理領域に記録されているデータが読取られメモリに一旦記憶される。メモリに記憶されたデータのうち，ユーザがキャラクタを追加すべき画像を表わす画像データ（この画像データは図１に示すラボラトリィ・システムにおいて記録されたものである）についての拡張子が取得される（ステップ61）。画像データが所定の記録形式でディジタル媒体に記録されていなければユーザのファイリング・システムにおいてキャラクタの追加等ができない。このため拡張子が「ＪＰＧ」または「ＴＩＦ」かどうかが判定され，拡張子が「ＪＰＧ」または「ＴＩＦ」でなければ画像データのファイル変換処理が行なわれる（ステップ62でNO，ステップ73）。またラボラトリィ・システムとファイリング・システムとのシステムが異なる会社の製品である場合，ユーザのファイリング・システムにおいてキャラクタの追加等ができないことがある。このためユーザのファイリング・システムでキャラクタの追加等ができるかどうかが画像データに付加されるヘッダから判断される（ステップ63）。キャラクタの追加等ができないと判断されるとファイル変換処理が行なわれる（ステップ73）。このファイル変換処理のためのアプリケーション・ソフトウェアはディジタル媒体のソフトウェア記録領域に記録されている。たとえば拡張子を取得し，その拡張子からどのような記録形式で画像データが記録されているかを判断し，記録形式に応じた所定の記録形式へのファイル変換が行なわれるであろう。
【００５７】
メモリに記憶されているディレクトリ管理領域のデータのうち，まずディレクトリ「ＤＦＳ」があるかどうか判断され（ステップ66），ディレクトリ「ＤＦＳ」が無ければ作成される（ステップ67）。次にディレクトリ「ＩＮＦＯ」があるかどうかが判断され（ステップ68），ディレクトリ「ＩＮＦＯ」が無ければ作成される（ステップ69）。さらにディレクトリ「ＯＤＲ」があるかどうかが判断され（ステップ70），ディレクトリ「ＯＤＲ」が無ければ作成される（ステップ71）。
【００５８】
このようにして作成され，またはすでにあるディレクトリ「ＯＤＲ」にキャラクタ等を追加した注文画像データおよび印刷情報データがディジタル媒体に記録される（ステップ72）。
【００５９】
ディレクトリ「ＯＤＲ」に，キャラクタ等を追加した注文画像データおよび印刷情報データを記録する処理について説明する。
【００６０】
図９は，キャラクタ等を追加した注文画像データを生成する処理手順を示すフローチャート，図10(A) 〜(F) 〜図14はキャラクタ等の画像の生成情報を示している。ここでは年賀状の印刷用画像生成の実施例を示す。注文画像データを生成するためのプログラムもディジタル媒体のソフト記録領域に記録されているのはいうまでもない。
【００６１】
まずファイリング・システムにおいて図10(A) に示すような新規画像が作成され，表示装置55に表示される（ステップ81）。必要ならば，所望の背景画像を表わす画像データが記録された磁気ディスクから画像データを読出して（磁気ディスクに限らず他のディジタル媒体または可視画像媒体から読出してもよい）新規画像の背景が変更される（ステップ82，83）（図10(B) ）。
【００６２】
つづいてラボラトリィ・システムにおいて画像データが記録されたディジタル媒体がファイリング・システムに装着され所望の画像データ（たとえば「ＰＨＴ００１．ＪＰＧ」のファイル名をもつ画像データ）が読出される（ステップ84）。ディジタル媒体から読出された画像データは一旦メモリに格納され，その画像データによって表わされる記録済画像が表示装置55に表示される（図10(C) ）。新規画像上に記録済画像がはめ込められ，表示装置55に表示される（ステップ85）（図10(D) ）。
【００６３】
年賀状に自宅の住所および氏名を加える必要があれば，操作装置52から住所および氏名が入力され，表示装置55に表示される（ステップ86，87）（図10(E) ）。入力された住所および文字の大きさが所望の大きさに変更され，図10(D) に示すように記録済画像がはめ込められた新規画像上に住所および文字が位置決めされる（図10(F) ）。
【００６４】
以上により，まず年賀状のひな型を表わす画像が生成される。この画像を表わす画像データはメモリに記録される。
【００６５】
つづいてこのひな型を表わす画像を用いて，ユーザの家族，個人個人の年賀状の画像が生成される。
【００６６】
まず父用の年賀状の画像生成について説明する。
【００６７】
図11（A1）は年賀状のひな型を表わす画像をメモリから読出し表示装置55に表示した状態を示している。
【００６８】
必要であれば，操作装置52から文字が入力されこのひな型の画像に文字（「謹賀新年」）Ａ２が追加される（ステップ88，89）（図11（A2））。つづいて必要であればひな型の画像に年賀状を装飾する装飾画像Ａ３が追加される（ステップ90，91）（図11（A3））。
【００６９】
これにより父用の年賀状を表わす画像が完成する（図11（A3），図12(A) ）。完成した画像を表わす画像データについて，たとえば「ＰＡＰＡ  ＰＳＴ．ＪＰＧ」のファイル名が付けられ，上述のようにディジタル媒体のディレクトリ「ＤＦＳ」中のディレクトリ「ＩＮＦＯ」のさらに中の「ＯＤＲ」によって管理される注文画像データとして注文関連データ記録領域に記録される。またディジタル媒体のディレクトリ管理領域に，「ＰＡＰＡ  ＰＳＴ．ＪＰＧ」の画像データへのパスも記録される。
【００７０】
同様にして再びひな型の画像を表わす画像データがメモリから読出され，文字入力（「Happy New Year」Ｂ２および「おめでとう」Ｃ２）が行なわれ（図11（B2）および図11（C2））装飾画像Ｂ３およびＣ３が挿入される（図11（B3）および図11（C2））。これにより母用および子供用の年賀状を表わす画像（図13(A) および図14(A) ）が生成される。生成された画像を表わす画像データについてたとえば「ＭＡＭＡ  ＰＳＴ．ＪＰＧ」および「ＢＯＫＵ  ＰＳＴ．ＪＰＧ」のファイル名が付けられ上述のようにディジタル媒体のディレクトリ「ＤＦＳ」中のディレクトリ「ＩＮＦＯ」のさらに中の「ＯＤＲ」によって管理される注文画像データとして注文関連データ記録領域に記録される。またディジタル媒体のディレクトリ管理領域に「ＭＡＭＡ  ＰＳＴ．ＪＰＧ」および「ＢＯＫＵ  ＰＳＴ．ＪＰＧ」の画像データへのパスも記録される。
【００７１】
図15は印刷情報を表わすデータを作成する処理手順を示すフローチャートである。図16は，印刷情報を表わすデータを作成する場合に表示装置55に表示される画面の一例を示している。この処理手順を表わすプログラムもディジタル媒体のソフト領域記録に記録されている。
【００７２】
印刷情報を表わすデータを生成する場合，ディジタル媒体がファイリング・システムに装着される。これによりディジタル媒体に記録されているアプリケーション・ソフトウェアにもとづいて表示装置55に図16に示す印刷情報設定画面が表示される（ステップ101 ）。
【００７３】
この印刷情報設定画面には，領域Ａ11およびＡ12に加えて区画Ａ13，Ａ14，Ａ15，Ａ16，Ａ17およびＡ18が表示される。
【００７４】
領域Ａ11は用紙サイズを設定するものである。ユーザは，所望の大きさを表わす部分（この場合はハガキ）をクリックする（ステップ102 ）。領域Ａ12は印刷される用紙の方向を示すものである。ユーザは所望の方向を示す部分（この場合は縦）をクリックする（ステップ103 ）。
【００７５】
区画Ａ13は，操作装置52から入力された印刷枚数を表示する。区画Ａ13をクリックしたあとに操作装置52から入力されることにより印刷枚数が設定される（ステップ104 ）。
【００７６】
区画Ａ14およびＡ15は，操作装置52から入力された印刷開始座標を表示する。印刷開始座標は，注文画像を用紙のどの位置から印刷するかを示すもので，印刷する注文画像の左上隅の座標によって表わされる。この印刷開始座標は選択された用紙の左上隅が原点とされる。たとえば，用紙の大きさと印刷すべき注文画像の大きさとが一致するときには印刷開始座標として（０，０）が入力される。区画Ａ14またはＡ15をクリックしたあとに操作装置52から入力することにより印刷開始座標が設定される（ステップ105 ）。
【００７７】
区画Ａ16は，印刷される画像を確認するときにユーザによってクリックされる。区画Ａ17は印刷情報の設定を中止するときにユーザによってクリックされる。区画Ａ18は設定された印刷情報が確認されたときにクリックされる。設定された印刷情報の変更は，再入力することにより実現されよう。
【００７８】
このようにして設定された父用，母用および子供用の印刷情報の一例が図12(B) ，図13(B) および図14(B) に示されている。これらの印刷情報はたとえば「ＰＡＰＡ  ＰＳＴ．ＯＤＲ」，「ＭＡＭＡ  ＰＳＴ．ＯＤＲ」および「ＢＯＫＵ  ＰＳＴ．ＯＤＲ」というファイル名が付けられ，上述のようにディジタル媒体のディレクトリ「ＤＦＳ」中のディレクトリ「ＩＮＦＯ」のさらに中のディレクトリ「ＯＤＲ」によって管理される印刷情報データとして注文関連データ記録領域に記録される。またディジタル媒体のディレクトリ管理領域に，「ＰＡＰＡ  ＰＳＴ．ＯＤＲ」，「ＭＡＭＡ  ＰＳＴ．ＯＤＲ」および「ＢＯＫＵ  ＰＳＴ．ＯＤＲ」へのパスが「ＰＡＰＡ  ＰＳＴ．ＪＰＧ」，「ＭＡＭＡ  ＰＳＴ．ＪＰＧ」および「ＢＯＫＵ  ＰＳＴ．ＯＤＲ」のパスに対応して記録される。
【００７９】
以上のようにして，図５に示すように各データがディジタル媒体に記録される。
【００８０】
(4) ラボラトリィの処理
ユーザによってキャラクタが追加された画像を表わす注文画像データおよび印刷情報を表わすデータが記録されたディジタル媒体はラボラトリィ・システムが設置された店舗に持参される。ディジタル媒体はラボラトリィ・システムに装着され，ディジタル媒体に記録された画像データによって表わされる画像が印刷される。
【００８１】
図17および図18はラボラトリィ・システムにおける印刷処理手順を示すフローチャートである。図19〜図26はラボラトリィ・システムにおける表示画面の一例を示している。この印刷処理のプログラムもディジタル媒体のソフト記録領域に記録され，そのプログラムにもとづいて実行されるのはいうまでもない。
【００８２】
ラボラトリィ・システムの表示装置33には図19に示すサービス選択画面が表示される（ステップ111 ）。サービス選択画面には区画Ａ21，Ａ22およびＡ23が表示される。区画Ａ21は，可視画像媒体に記録された画像をディジタル媒体に記録するときにユーザによってタッチされる区画である。区画Ａ22は印刷を行なうときにユーザによってタッチされる区画である。区画Ａ23はラボラトリィ・システムのメンテナンスなどを行なうときにメンテナンス・マンによってタッチされる区画である。
【００８３】
印刷を行なうときは区画Ａ22がタッチされる（ステップ112 でYES ）。区画Ａ22がタッチされることにより表示装置は図20に示す印刷サービス画面に切換わる。
【００８４】
印刷サービス画面には区画Ａ31，Ａ32，Ａ33，Ａ34，Ａ35，Ａ36，Ａ37およびＡ38が表示される。区画Ａ31はたとえばディジタル媒体に記録されているすべての画像の縮小画像の一覧を表示するときにユーザによってタッチされる区画である。区画Ａ32は，ディジタル媒体に記録されている画像をあたかも雑誌の表紙のようにして印刷するときにユーザによってタッチされる区画である。区画Ａ33は，あらかじめ記憶されている装飾用のテンプレート画像に，ディジタル媒体に記憶されている画像を貼り付けて印刷する場合にユーザによってタッチされる区画である。区画Ａ34は，ディジタル媒体に記録されている画像をカレンダに含めて印刷する場合にユーザによってタッチされる区画である。区画Ａ35はディジタル媒体に記録されている画像をポストカードに含めて印刷する場合にユーザによってタッチされる区画である。区画Ａ36はディジタル媒体に記録されている画像を名刺に含めて印刷する場合にユーザによってタッチされる区画である。区画Ａ37はディジタル媒体に記録されている注文画像データおよび印刷情報を表わすデータを読出し，印刷する場合にユーザによってタッチされる区画である。この実施例では区画Ａ37がタッチされる。区画Ａ38はその他の印刷を行なうときにユーザによってタッチされる区画である。
【００８５】
区画Ａ37がタッチされると表示装置は図21に示す入力媒体選択画面に切換わる（ステップ114 でYES ，115 ）。
【００８６】
入力媒体選択画面には区画Ａ41，Ａ42，Ａ43，Ａ44およびＡ45が含まれる。区画Ａ41はファイリング・システムの入力媒体がフロッピー・ディスクのときにユーザによってタッチされる。区画Ａ42は入力媒体が光ディスクのときにユーザによってタッチされる。区画Ａ43は入力媒体が光磁気ディスクのときにユーザによってタッチされる。区画Ａ44は入力媒体がメモリ・カードのときにユーザによってタッチされる。区画Ａ45は入力媒体がその他のときにユーザによってタッチされる。入力媒体に適したドライバ39，もしくは46またはメモリ・カード・リーダ47がユーザによって選ばれる（ステップ115 ，116 ）。
【００８７】
入力媒体選択画面において入力媒体が選択されると，その入力媒体のディレクトリ管理領域に記録されているデータが読出される。読出されたデータにもとづいて入力媒体にディレクトリ「ＤＦＳ」，「ＩＮＦＯ」および「ＯＤＲ」が存在するかどうかが判断される（ステップ117 〜119 ）。これらのディレクトリのいずれか１つでも存在しなければ印刷すべき画像を表わす注文画像データを見つけることができない。このため図22に示すようなファイリング・システムに装着された媒体は使えない旨の画面が表示される（ステップ120 ）。
【００８８】
ディレクトリ「ＤＦＳ」，「ＩＮＦＯ」および「ＯＤＲ」が入力媒体に存在すると（ステップ117 ，118 および119 でYES ），入力媒体に記録されている注文画像データと印刷情報データとのペア数がカウントされ，かつファイル・チェック処理が行なわれる（ステップ121 ）。これにより表示装置33の表示画面は，図23に示す印刷ファイル確認画面に切換わる（ステップ122 ）。
【００８９】
印刷ファイル確認画面には区画Ａ51，Ａ52およびＡ53が表示される。区画Ａ51には注文画像データと印刷情報データとのペア数が表示される。区画Ａ52は，区画Ａ51に表示された種類が確認されたときにユーザによってタッチされる。区画Ａ53は印刷を中止するときにユーザによってタッチされる。区画Ａ53がタッチされるとステップ121 に戻る。
【００９０】
区画Ａ54がタツチされると（ステップ123 でYES ），図24に示す印刷ファイル選択画面が表示される（ステップ124 ）。
【００９１】
印刷ファイル選択画面には，区画Ａ61，Ａ62，Ａ63，Ａ64およびＡ67が表示される。
【００９２】
区画Ａ61および区画Ａ62には印刷すべき注文画像の縮小画像が表示される。この縮小画像は，拡大縮小回路44においてディジタル媒体から読出された注文画像の縮小処理を行なうことにより得ることができる。区画Ａ63をタッチすることにより駒送りが行なわれ，区画Ａ64をタッチすることにより駒戻しが行なわれる。これにより区画Ａ61および区画Ａ62に表示される画像が変化する。縮小画像が表示された区画Ａ61またはＡ62がタッチされる。画像の選択が終了するとユーザによって区画Ａ65がタッチされる（ステップ125 ）。区画Ａ65がタッチされるとユーザによって選択された縮小画像に対応する注文画像の画像データがパスを参照してディジタル媒体から読出され，印刷が行なわれる。図25に示す印刷中を報知する画面が表示される（ステップ126 ）。この画面には区画Ａ70が含まれ，この区画Ａ70がタッチされることにより印刷は中止される。
【００９３】
印刷においては，ディレクトリ「ＯＤＲ」の記録された印刷情報のパスから注文関連データ記録領域に記録された印刷情報データが読出され，この印刷情報データによって表わされる印刷情報にしたがって印刷が行なわれる。
【００９４】
印刷が終了すると表示装置33の表示画面は図26に示す画面に切換わる。
【図面の簡単な説明】
【図１】ラボラトリィ・システムの電気的構成を示すブロック図である。
【図２】ディジタル媒体のファイル構造を示す。
【図３】ディジタル媒体のディレクトリ管理領域の詳細を示す。
【図４】ファイリング・システムの電気的構成を示すブロック図である。
【図５】ディジタル媒体のファイル構造を示す。
【図６】ディジタル媒体のディレクトリ管理領域の詳細を示す。
【図７】ユーザによるファイリング・システムにおける処理手順を示すフローチャートである。
【図８】ファイリング・システムの表示装置の表示画面の一例を示す。
【図９】ユーザによるファイリング・システムにおける処理手順を示すフローチャートである。
【図１０】  (A) 〜(F) は年賀状を表わす画像の生成過程を示す。
【図１１】（A1）〜（A3），（B1）〜（B3），および（C1）〜（C3）は年賀状を表わす画像の生成過程を示す。
【図１２】  (A) は年賀状を表わす画像の一例を示し，(B) は印刷情報の一例を示す。
【図１３】  (A) は年賀状を表わす画像の一例を示し，(B) は印刷情報の一例を示す。
【図１４】  (A) は年賀状を表わす画像の一例を示し，(B) は印刷情報の一例を示す
【図１５】印刷情報作成の処理手順を示すフローチャートである。
【図１６】ファイリング・システムの表示装置の表示画面の一例を示す。
【図１７】ラボラトリィ・システムにおける印刷の処理手順を示すフローチャートである。
【図１８】ラボラトリィ・システムにおける印刷の処理手順を示すフローチャートである。
【図１９】ラボラトリィ・システムの表示装置の表示画面の一例を示す。
【図２０】ラボラトリィ・システムの表示装置の表示画面の一例を示す。
【図２１】ラボラトリィ・システムの表示装置の表示画面の一例を示す。
【図２２】ラボラトリィ・システムの表示装置の表示画面の一例を示す。
【図２３】ラボラトリィ・システムの表示装置の表示画面の一例を示す。
【図２４】ラボラトリィ・システムの表示装置の表示画面の一例を示す。
【図２５】ラボラトリィ・システムの表示装置の表示画面の一例を示す。
【図２６】ラボラトリィ・システムの表示装置の表示画面の一例を示す。
【符号の説明】
30  ＭＰＵ
32  タッチパネル
33，55  表示装置
35  画像メモリ
37，58  プリンタ
39  フロッピー・ディスク・ドライバ
40  ハード・ディスク・ドライバ
42  スキャナ
46  光磁気ディスク・ドライバ
47  メモリ・カード・リーダ
50  コンピュータ・システム
51  コンピュータ
52  操作装置
53  ディスク・ドライバ
ＦＤ  磁気ディスク
ＭＯ  光磁気ディスク
【図１】
0003943161.tif 000002
【図２】
0003943161.tif 000003
【図３】
0003943161.tif 000004
【図４】
0003943161.tif 000005
【図５】
0003943161.tif 000006
【図６】
0003943161.tif 000007
【図７】
0003943161.tif 000008
【図８】
0003943161.tif 000009
【図９】
0003943161.tif 000010
【図１０】
0003943161.tif 000011
【図１１】
0003943161.tif 000012
【図１２】
0003943161.tif 000013
【図１３】
0003943161.tif 000014
【図１４】
0003943161.tif 000015
【図１５】
0003943161.tif 000016
【図１６】
0003943161.tif 000017
【図１７】
0003943161.tif 000018
【図１８】
0003943161.tif 000019
【図１９】
0003943161.tif 000020
【図２０】
0003943161.tif 000021
【図２１】
0003943161.tif 000022
【図２２】
0003943161.tif 000023
【図２３】
0003943161.tif 000024
【図２４】
0003943161.tif 000025
【図２５】
0003943161.tif 000026
【図２６】
0003943161.tif 000027